(57)【要約】【課題】車内に配置しても邪魔にならず、操作性に優れた自動車用ブラインド装置を提供する。【解決手段】車内に設けられ、自動車101のフロントガラス102を覆う横方向のスクリーン５を引き出し及び巻取り可能に巻取り収納する筒状ケース本体２と、この筒状ケース本体２をフロントガラス102の左サイドピラ103Ｒに取り付ける取付手段11とを備える。収納時には、フロントガラス102の左サイドピラ103Ｌに沿ってコンパクトに収納でき、使用時には、スクリーン５を横方向に引き出してフロントガラス102を覆うことができる。【選択図】図１
2007186172.tif 000002
【特許請求の範囲】
【請求項１】
車内に設けられ、自動車のフロントガラスを覆う横方向のスクリーンを引き出し及び巻取り可能に巻取り収納するケース本体と、この筒状ケース本体を前記フロントガラスの左右一側縁に取り付ける取付手段とを備えることを特徴とする自動車用ブラインド装置。
【請求項２】
前記取付手段は、前記ケース本体を前記左右一側縁に傾動可能に取り付ける取付体を備えることを特徴とする請求項１記載の自動車用ブラインド装置。
【発明の詳細な説明】
【技術分野】
【０００１】
本発明は、自動車のフロントガラスを覆う自動車用ブラインド装置に関する。
【背景技術】
【０００２】
従来、この種のものとして、天井取付ステイにサンバイザ本体が回動可能に取り付けられた自動車用サンバイザであって、上記サンバイザ本体に、スクリーンの巻取り軸が取り付けられ、上記巻取り軸に巻取られるスクリーンの先端部分に、巻取り軸から引き出されたスクリーンの先端部分を車内の所望の箇所に係止する係止部材が設けられているサンバイザ（例えば特許文献１）や、収容容器の内側に設けられたローラに巻回され得る不透明なスクリーンを備えたロールブラインドにおいて、前記収容容器が、前記収容容器が本質的に直線状である非使用状態と、前記収容容器が、非直線状の構造要素の形状を呈するように、強制的に該非直線状の構造要素に沿った形状にされる使用可能状態と、の少なくともふたつの状態のうちの何れの状態にもなり得て撓曲可能であるロールブラインド（例えば特許文献２）などがある。
【特許文献１】特開２０００−２２５８４１号公報
【特許文献２】特開平１１−２９４０４３号公報
【発明の開示】
【発明が解決しようとする課題】
【０００３】
上記サンバイザでは、サンバイザ本体をガラスの上に配置し、スクリーンを下に引き下してガラスを覆い、また、上記ロールブラインドでは、収納容器をガラスの下に配置し、スクリーンを上に引き上げてガラスを覆うものであり、いずれも前記収納容器などをフロントガラスの上下に配置すると、視界の妨げや運転の邪魔となる問題がある。
【０００４】
本発明は、このような問題点を解決しようとするもので、車内に配置しても邪魔にならず、操作性に優れた自動車用ブラインド装置を提供することを目的とする。
【課題を解決するための手段】
【０００５】
請求項１の発明は、車内に設けられ、自動車のフロントガラスを覆う横方向のスクリーンを引き出し及び巻取り可能に巻取り収納するケース本体と、この筒状ケース本体を前記フロントガラスの左右一側縁に取り付ける取付手段とを備えるものである。
【０００６】
また、請求項２の発明は、前記取付手段は、前記ケース本体を前記左右一側縁に傾動可能に取り付ける取付体を備えるものである。
【発明の効果】
【０００７】
請求項１の構成によれば、収納時には、フロントガラスの左右一側縁に沿ってコンパクトに収納でき、使用時には、スクリーンを横方向に引き出してフロントガラスを覆うことができる。
【０００８】
また、請求項２の構成によれば、一般にフロントガラスは、下側が広く形成されているから、フロントガラスの左右一側縁に沿って取り付けると、スクリーン本体は斜めになるが、傾動部によりケース本体を縦向きとし、スクリーンを横方向に引き出してフロントガラスを覆うことができる。
【発明を実施するための最良の形態】
【０００９】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な自動車用ブラインド装置を採用することにより、従来にない自動車用ブラインド装置が得られ、その自動車用ブラインド装置を記述する。
【実施例１】
【００１０】
以下、本発明の実施例を添付図面を参照して説明する。図１〜図４は本発明の実施例１を示し、同図に示すように、自動車用ブラインド装置１は、自動車101のフロントガラス102の車内側に用いられ、このフロントガラス102の左，右縁たる左，右サイドピラ103Ｌ，103Ｒの一方に、前記ブラインド装置１の筒状のケース本体２が取り付けられ、この例では、右側の運転席と反対の側にある左サイドピラ103Ｌに筒状のケース本体２を取り付けて用いられる。尚、図中104は、フロントガラス102の上部に設けられたバックミラーである。
【００１１】
前記筒状のケース本体２内に、巻取り軸４を回動自在に設け、この巻取り軸４にスクリーン５の長さ方向基端側を取り付け、前記巻取り軸４を巻取り方向に付勢する付勢手段（図示せず）を備える。そして、前記筒状ケース本体２の長さ方向にスリット状開口部６から、前記スクリーン５の長さ方向先端側が引き出され、このスクリーン５の先端には、操作軸７が設けられ、この操作軸７は前記スクリーン５の幅に対応した長さを有し、両端に略球状の拡大端部７Ａ，７Ａが設けられ、この拡大端部７Ａは前記開口部６より大きく形成されている。また、前記スクリーン５の先端側中央には、係止具たるフック８が設けられている。さらに、図１に示すように、前記スクリーン５は、基端側から先端側に向って僅かに幅狭になるように、幅方向両側の縁５Ｆ，５Ｆが斜めに形成されている。
【００１２】
したがって、スクリーン５の先端側を持って、スクリーン５を引き出し、先端側を固定して広げ、一方、その固定を開示すれば、前記付勢手段により、スクリーン５が筒状のケース本体２内に巻き取られ、この際、スクリーン５の幅方向縁部が斜めに形成されているため、それら縁部が開口部６の両端側に摺動することがなく、スクリーン５をスムーズに巻取り及び引き出すことができる。
【００１３】
前記筒状のスクリーン本体１には、前記筒状ケース本体２を前記左縁部103Ｌに取り付ける取付手段11を備える。この取付手段11は、筒状のケース本体２の上側に回転中心軸12により、取付体13を回動可能に設け、この取付体13は筒状のケース本体２の長さ方向に長く形成されると共に、前記筒状のケース本体２と間隔を置いて沿うように配置され、該取付体14の上下に前記左，右サイドピラ103Ｌ，103Ｒに係脱可能な挟持手段14，14を備える。この挟持手段14は、対をなす固定爪15と可動爪16とを有し、これら固定爪15と可動爪16は前記左サイドピラ103Ｌの外面に沿うように形成されると共に、先端が左サイドピラ103Ｌの両側に係止可能に形成され、また、前記固定爪15は前記取付体14に固定され、前記可動爪16は取付体16に移動可能に設けられ、前記可動爪16を動かす調整手段たる調整ねじ17が設けられている。そして、この調整ねじ17は固定爪15に位置固定した状態で回動可能に設けられており、該調整ねじ17のねじ部に係合するねじ受スリット部18が前記可動爪16に形成されている。
【００１４】
したがって、調整ねじ17を一方に回すと、前記ねじ部とねじ受スリット部18との係合により、可動爪16は、固定爪15との間隔が狭まる方向に移動し、挟持手段14が左縁部103Ｒを挟持し、一方、調整ねじ17の他方に回すと、ねじ部とねじ受スリット部18との係合により、可動爪16は、固定爪15との間隔が広がる方向に移動し、挟持手段14を左サイドピラ103Ｌから外すことができる。
【００１５】
また、前記取付体13の下側と筒状ケース本体２との間を近づける方向に付勢する付勢手段たる板ばね21を、前記取付体13に設け、この板ばね21は、前記取付体13と筒状ケース本体２間に配置され、前記回転中心軸12より上方で前記取付体13に当接する。また、前記取付体13には、筒状ケース本体２側に取付片22を設け、この取付片22に垂直方向を示す垂直指示具23を揺動可能に吊下げ、装置１の取付状態で、前記垂直指示具23は筒状のケース本体２の前側に位置する。
【００１６】
また、他方の縁部である右サイドピラ103Ｒには、前記挟持手段14により、前記フック８が係止する係止受部たる受フック24が設けられおり、この受フック24は前記挟持手段14に揺動可能に連結されている。
【００１７】
次に、前記ブラインド装置１の使用方法につき、説明すると、上述したように、調整ねじ17を操作することにより、ケース本体２を挟持手段14，14によって、左縁部である左側のサイドピラ103Ｒに取り付ける。この状態で、板ばね21による付勢により、筒状のケース本体２はサイドプラ103Ｒに沿うため、視界の妨げになることがない。そして、フロントガラス102は、一般に、下側に向って広くなるから、使用時には、回転中心軸12を中心に回動して、垂直方向を示す指示具23に筒状のケース本体２の向きを合わせ、スクリーン５の先端側を横方向に引き出し、右サイドピラ103Ｒ側の受フック24にフック８を掛けることにより、フロントガラス102をスクリーン５により覆うことができる。
【００１８】
このようにスクリーン５を横引き式で使用してフロントガラス102を覆うことができ、夏場の車内の温度を下げる効果があり、また、盗難防止の役に立つ。また、自動車のフロントガラスは末広がりで単に取り付けるだけでは、スクリーン５を水平方向に引くことができないが、取付手段11により水平方向にスクリーン５を水平方向に引くことができ、しかも、収納時には、板ばね21により、サイドピラ103Ｌに筒状ケース本体５を沿わせてコンパクトに収納することができ、運転の支障にならない。さらに、調整ねじ18を備えた挟持手段14により、ドライバーなどの工具を用いるだけで、取付を簡便に行うことができる。
【００１９】
このように本実施例では、車内に設けられ、自動車101のフロントガラス102を覆う横方向のスクリーン５を引き出し及び巻取り可能に巻取り収納する筒状ケース本体２と、この筒状ケース本体２をフロントガラス102の左右一側縁たる左サイドピラ103Ｒに取り付ける取付手段11とを備えるから、収納時には、フロントガラス102の左サイドピラ103Ｌに沿ってコンパクトに収納でき、使用時には、スクリーン５を横方向に引き出してフロントガラス102を覆うことができる。
【００２０】
また、このように本実施例では、請求項２に対応して、取付手段11は、ケース本体２を左右一側縁たる左サイドピラ103Ｌに傾動可能に取り付ける取付体13を備え、一般にフロントガラス102は、下側が広く形成されているから、フロントガラス102の左右一側縁に沿って取り付けると、筒状ケース本体２は斜めになるが、取付体13により筒状ケース本体２を縦向きとし、スクリーン５を横方向略水平に引き出してフロントガラス102を覆うことができる。
【００２１】
また、実施例上の効果として、取付状態で、筒状ケース本体２をサイドピラ103Ｌに添う方向に付勢する付勢手段たる板ばね21を備えるから、スクリーン５の収納時には、筒状ケース本体２が付勢手段によりサイドピラ103Ｌに添い、コンパクトに収納することができる。また、垂直方向を示す垂直指示具23を設けたから、垂直指示具23に筒状ケース本体２を合わせることにより、スクリーン５を水平方向に引き出すことができる。また、前記スクリーン５は、基端側から先端側に向って僅かに幅狭になるように、幅方向両側の縁５Ｆ，５Ｆが斜めに形成されているから、引き出し及び巻取りをスムーズに行うことができる。さらに、運転席と反対の側にある左サイドピラ103Ｌに筒状ケース本体２を取り付けたから、一層、視界や運転の妨げになることがない。
【００２２】
なお、本発明は、前記実施例に限定されるものではなく、種々の変形実施が可能である。例えば、取付体は、ケース本体をサイドピラに取り付けることができるものであれば、各種のものを用いることができる。また、ケース本体のスクリーン巻取り機構は適宜選定できる。
【図面の簡単な説明】
【００２３】
【図１】本発明の実施例１を示す自動車用ブラインド装置取付状態の正面図である。
【図２】同上、側面図である。
【図３】同上、斜視図である。
【図４】同上、挟持手段の断面図である。
【符号の説明】
【００２４】
１  自動車用ブラインド装置
２  筒状ケース本体
５  スクリーン
11  取付手段
12  回転中心軸
101  自動車
102  フロントガラス
103Ｒ  左サイドピラ（左縁部）
103Ｌ  右サイドピラ（右縁部）
【図１】
2007186172.tif 000003
【図２】
2007186172.tif 000004
【図３】
2007186172.tif 000005
【図４】
2007186172.tif 000006